(57)【要約】【課題】非再生型の中継装置を用いて、異なる周波数帯域で中継を行う場合でも、中継による通信を行うことが可能な移動無線端末装置および無線基地局装置を提供する。【解決手段】主制御部１００は、同期確立した無線基地局装置ＢＳとの無線通信が中継装置ＲＳを介したものか否かを判定し、中継装置ＲＳを介した無線通信の場合には、無線基地局装置ＢＳが無線通信に用いる公衆帯域に応じた補正値Ｃを用いて、無線基地局装置ＢＳが通知する識別情報（PRU番号）を、中継装置ＲＳが当該移動無線端末装置ＭＳとの無線通信で用いる屋内帯域の識別情報（PRU番号）に補正して、通信に用いるPRUを認識するようにしたものである。【選択図】      図４
2011160132.tif 000002
【特許請求の範囲】
【請求項１】
ネットワークに収容される無線基地局装置と無線通信する移動無線端末装置において、
受信周波数を検出する検出手段と、
前記無線基地局装置が当該移動無線端末装置に対して割り当てる無線リソースを示す割当情報を通知するために用いる無線リソースを示す識別情報を受信する受信手段と、
前記検出手段が検出した受信周波数に基づいて、前記無線基地局装置と当該移動無線端末装置との間に無線中継装置が介在して中継接続されるか否かを判定する判定手段と、
この判定手段が中継接続されると判定した場合に、前記受信手段が受信した識別情報を、前記無線中継装置と当該移動無線端末装置との間の通信で用いる無線リソースの識別情報に変換する変換手段と、
前記判定手段が中継接続されると判定した場合に、前記変換手段によって変換された識別情報に対応する無線リソースを用いて、前記無線中継装置を介して前記割当情報を受信する通信手段とを具備することを特徴とする移動無線端末装置。
【請求項２】
ネットワークに収容される無線基地局装置と無線通信する移動無線端末装置において、
受信周波数を検出する検出手段と、
この検出手段が検出した受信周波数に基づいて、前記無線基地局装置と当該移動無線端末装置との間に無線中継装置が介在して中継接続されるか否かを判定する判定手段と、
この判定手段が中継接続されると判定した場合に、前記無線基地局装置に対して、前記無線中継装置を介した通信である旨を通知する通知手段と、
この通知手段による通知に応動して、前記無線基地局装置から前記無線中継装置を介して通知される識別情報を受信し、この識別情報で示される無線リソースを通じて、前記無線基地局装置が当該移動無線端末装置に対して割り当てる無線リソースを示す割当情報を受信する通信手段とを具備することを特徴とする移動無線端末装置。
【請求項３】
前記判定手段は、前記無線基地局装置から通知される送信周波数の帯域と、前記検出手段が検出した受信周波数の帯域とが一致しない場合に、前記無線基地局装置と当該移動無線端末装置との間に無線中継装置が介在して中継接続されるものと判定することを特徴とする請求項１または請求項２に記載の移動無線端末装置。
【請求項４】
前記判定手段は、前記識別情報で示される無線リソースの周波数の帯域と、前記検出手段が検出した受信周波数とが一致しない場合に、前記無線基地局装置と当該移動無線端末装置との間に無線中継装置が介在して中継接続されるものと判定することを特徴とする請求項１または請求項２に記載の移動無線端末装置。
【請求項５】
前記判定手段は、前記検出手段が検出した受信周波数が、前記無線中継装置が移動無線端末装置との通信に用いる周波数であった場合に、前記無線基地局装置と当該移動無線端末装置との間に無線中継装置が介在して中継接続されるものと判定することを特徴とする請求項１または請求項２に記載の移動無線端末装置。
【請求項６】
ネットワークに収容され、無線接続される移動無線端末装置を前記ネットワークに接続する無線基地局装置において、
前記移動無線端末装置からの通知に基づいて、当該無線基地局装置と前記移動無線端末装置との間に無線中継装置が介在して中継接続されるか否かを判定する判定手段と、
前記移動無線端末装置との通信で用いる無線リソースを示す割当情報を通知するために用いる無線リソースを決定する決定手段と、
前記判定手段が中継接続されると判定した場合に、前記決定手段が決定した無線リソースの識別情報を、前記無線中継装置と当該移動無線端末装置との間の通信で用いる無線リソースの識別情報に変換する変換手段と、
前記判定手段が中継接続されると判定した場合に、前記変換手段によって変換された識別情報を前記移動無線端末装置に宛てて無線送信する送信手段とを具備することを特徴とする無線基地局装置。
【発明の詳細な説明】
【技術分野】
【０００１】
この発明は、例えば移動体通信システムの基地局と移動局の間を中継する中継装置を介した無線通信に関する。
【背景技術】
【０００２】
周知のように、携帯電話システムなどの移動体通信システムは、基地局と移動局の間を無線中継する無線中継装置を用いることで、基地局からの電波が届きにくい、いわゆる不感地域を解消することができる。無線中継装置には、一方から受信した通信データを解析することなしに、別の周波数で、そのまま他方へ送信する非再生型の中継装置がある。また中継装置には、基地局と中継装置の間の無線通信と、中継装置と移動局の間の無線通信とで干渉を避けるために、両無線通信で異なる周波数帯域を用いるものがある。
【０００３】
ところで近時、次世代の移動体通信システムの通信規格として注目されるXGP(eXtended Global Platform)がある。この通信規格では、基地局が制御チャネルを通じて、アンカーチャネル（ANCH）が割り当てられたPRU番号を通知する（例えば、特許文献１参照）。上記アンカーチャネルは、移動局に対してデータの通信に用いるエクストラチャネルを割り当てたPRUの位置を示すマップ情報（無線リソースの割当情報）が記載されている。上記PRUは、XGPシステムにおける無線リソースを示し、PRU番号で管理される。
【０００４】
しかし、上述したように非再生型の中継装置により、中継の前後で異なる周波数帯域を用いて中継を行う場合、移動局に通知されるアンカーチャネルが割り当てられたPRU番号（識別情報）は、中継装置と移動局の間で使用される周波数帯域には存在せず、中継が行えないという問題があった。
【先行技術文献】
【特許文献】
【０００５】
【特許文献１】特開２００９−２９０３３９号公報
【発明の概要】
【発明が解決しようとする課題】
【０００６】
従来では、非再生型の中継装置により、中継の前後で異なる周波数帯域を用いて中継を行う場合、基地局から移動局に通知される無線リソースの割当情報を通知するための情報が割り当てられた無線リソースは、中継装置と移動局の間で使用される周波数帯域には存在せず、中継が行えないという問題があった。
【０００７】
この発明は上記の問題を解決すべくなされたもので、非再生型の中継装置を用いて、異なる周波数帯域で中継を行う場合でも、データ通信で用いる無線リソースの割当情報を通知するための情報が割り当てられた無線リソースを通知でき、中継による通信を行うことが可能な移動無線端末装置および無線基地局装置を提供することを目的とする。
【課題を解決するための手段】
【０００８】
上記の目的を達成するために、この発明は、ネットワークに収容される無線基地局装置と無線通信する移動無線端末装置において、受信周波数を検出する検出手段と、無線基地局装置が当該移動無線端末装置に対して割り当てる無線リソースを示す割当情報を通知するために用いる無線リソースを示す識別情報を受信する受信手段と、検出手段が検出した受信周波数に基づいて、無線基地局装置と当該移動無線端末装置との間に無線中継装置が介在して中継接続されるか否かを判定する判定手段と、この判定手段が中継接続されると判定した場合に、受信手段が受信した識別情報を、無線中継装置と当該移動無線端末装置との間の通信で用いる無線リソースの識別情報に変換する変換手段と、判定手段が中継接続されると判定した場合に、変換手段によって変換された識別情報に対応する無線リソースを用いて、無線中継装置を介して前記割当情報を受信する通信手段とを具備して構成するようにした。
【０００９】
またこの発明は、ネットワークに収容され、無線接続される移動無線端末装置を前記ネットワークに接続する無線基地局装置において、移動無線端末装置からの通知に基づいて、当該無線基地局装置と移動無線端末装置との間に無線中継装置が介在して中継接続されるか否かを判定する判定手段と、移動無線端末装置との通信で用いる無線リソースを示す割当情報を通知するために用いる無線リソースを決定する決定手段と、判定手段が中継接続されると判定した場合に、決定手段が決定した無線リソースの識別情報を、無線中継装置と当該移動無線端末装置との間の通信で用いる無線リソースの識別情報に変換する変換手段と、判定手段が中継接続されると判定した場合に、変換手段によって変換された識別情報を移動無線端末装置に宛てて無線送信する送信手段とを具備して構成するようにした。
【発明の効果】
【００１０】
以上述べたように、この発明では、無線基地局装置と移動無線端末装置の間の通信で、無線中継装置を介して通信する場合には、無線基地局装置と無線中継装置の間で用いる無線リソースの割当情報を通知するための情報が割り当てられた無線リソースの識別情報を、無線中継装置と移動無線端末装置の間で用いる無線リソースの割当情報を通知するための情報が割り当てられた無線リソースの識別情報に変換して、移動無線端末装置に通知するようにしている。
【００１１】
したがって、この発明によれば、非再生型の無線中継装置を用いて、異なる周波数帯域で中継を行う場合でも、中継による通信を行うことが可能な移動無線端末装置および無線基地局装置を提供できる。
【図面の簡単な説明】
【００１２】
【図１】この発明に係わる移動無線端末装置および無線基地局装置が適用される無線通信システムの構成例を示す図。
【図２】図１に示した無線通信システムで用いられる周波数帯域と無線リソースの構成を説明するための図。
【図３】無線基地局装置ＢＳから送信されるLCH Assignmentのデータフォーマットの一部を示す図。
【図４】この発明に係わる移動無線端末装置の一実施形態の構成を示す回路ブロック図。
【図５】図４に示した移動無線端末装置のPRU番号の補正動作を説明するフローチャート。
【図６】図４に示した移動無線端末装置および無線基地局装置の通信シーケンスを説明するための図。
【図７】図４に示した移動無線端末装置のPRU番号の補正動作を説明するフローチャート。
【図８】図４に示した無線基地局装置の変形例の構成を示す図。
【図９】図８に示した無線基地局装置に対応する移動無線端末装置の動作を説明するためのフローチャート。
【図１０】図８に示した無線基地局装置に対応する移動無線端末装置の動作を説明するためのフローチャート。
【発明を実施するための形態】
【００１３】
以下、図面を参照して、この発明の一実施形態について説明する。  
図１は、この発明の一実施形態に係わる移動体通信システムの構成を示すものである。この例では、ユーザが携帯する移動無線端末装置ＭＳが屋内に存在するとともに、中継装置として、屋内用の小電力無線通中継装置ＲＳ（以下、中継装置ＲＳと略称する）も屋内に存在している。また屋外には、無線基地局装置ＢＳ１、ＢＳ２が存在している。中継装置ＲＳは、一方から受信した通信データを解析することなしに、別の周波数で、そのまま他方へ送信する非再生型の中継装置である。
【００１４】
以下の説明では、通信規格としてXGP(eXtended Global Platform)方式を採用する移動体通信システムを例に挙げて説明する。この移動体通信システムでは、直交周波数分割多元接続OFDMA(Orthogonal Frequency Division Multiple Access)を採用し、直交周波数分割多重OFDM(Orthogonal Frequency Division Multiplexing)による多元接続を行うものである。OFDMは、周波数分割多重FDM(Frequency Division Multiple)を発展させた方式であり、周波数軸上でキャリア信号を多数のサブキャリアに分割し、隣接するサブキャリア間で信号波の位相を直交させることにより、サブキャリアの帯域を一部重ね合わせて周波数帯域を有効利用する方式である。
【００１５】
OFDMでは、全てのサブキャリアを１つの端末装置が占有するが、OFDMAでは複数のサブキャリアをグループ化してサブチャネルを構成し、複数の端末装置で全てのサブチャネルを共有することにより多元接続を行う。
【００１６】
さらにXGP方式では、OFDMAに加えて、時分割多元接続TDMA(Time Division Multiple Access)による多元接続を行う。TDMAは、周波数を時間軸で複数のタイムスロットに分割し、複数の相手と通信を行う方式である。現状では、それぞれ４つに分割することが想定されている。すなわちXGP方式では、周波数軸と時間軸の両方で通信ブロックに細分化し、多数の端末装置に通信ブロックを動的に割り当てて効率的に通信を行う。１つのサブチャネルにおける１つのタイムスロットによって定まる通信ブロックをPRU(Physical Resource Unit)と称する。
【００１７】
図２は、移動無線端末装置ＭＳ、中継装置ＲＳ、無線基地局装置ＢＳ１およびＢＳ２がそれぞれ用いる周波数帯域を上記PRU単位で示している。この周波数帯域は、周波数方向にn個のサブチャネルで区切られるとともに、時間方向には、４つのタイムスロットで分けられている。
【００１８】
無線基地局装置ＢＳ１は、図示しない移動通信網ＮＷに収容され、公衆帯域Ｂ１で移動無線端末装置ＭＳや中継装置ＲＳと無線通信を行うものであり、同様に、上記移動通信網ＮＷに収容され、無線基地局装置ＢＳ２は、公衆帯域Ｂ２で移動無線端末装置ＭＳや中継装置ＲＳと無線通信を行うものである。
【００１９】
中継装置ＲＳは、無線基地局装置ＢＳ１およびＢＳ２とは、公衆帯域Ｂ１（帯域幅は、サブチャネル数hに相当）あるいはＢ２（帯域幅は、サブチャネル数hに相当）で無線通信を行い、一方、移動無線端末装置ＭＳとは、公衆帯域Ｂ１あるいはＢ２で受信した通信データを解析することなしに、屋内帯域Ｂ３（帯域幅は、サブチャネル数hに相当）で無線送信するとともに、移動無線端末装置ＭＳから屋内帯域Ｂ３で受信した通信データを解析することなしに、公衆帯域Ｂ１あるいはＢ２で無線送信する。なお、h,j,k,m,nは、それぞれ自然数であって、h=k-j+1=n-k+1である。
【００２０】
なお、中継装置ＲＳは、上述したように、受信した通信データを解析することなしに、単に無線信号を周波数変換して再送信するという中継を行うものであるため、図１では移動無線端末装置ＭＳ、無線基地局装置ＢＳ１およびＢＳ２の３つの無線装置が存在する例を示しているが、４以上の無線装置が存在する場合にも適用できる。
【００２１】
また、各帯域Ｂ１，Ｂ２，Ｂ３には、それぞれ特定の周波数が、制御チャネルＣCHを送信するための周波数として予め設定されている。なお、公衆帯域Ｂ１と公衆帯域Ｂ２には、重複する周波数が存在し、この周波数で制御チャネルＣCHが送信される。このように、２つの公衆帯域Ｂ１、Ｂ２の制御チャネルＣCHの周波数が重複することで、無線基地局装置と通信する無線装置は、重複した１つの周波数を受信することで、公衆帯域Ｂ１およびＢ２の両方の制御チャネルＣCHを監視することができる。
【００２２】
図３に、リンクチャネルLCHの情報割り当て（Assignment）を示す。Assignment PRU Numberには、ANCHを割り当てたPRU番号を示す識別情報が含まれる。ANCHには、無線基地局装置ＢＳ１あるいはＢＳ２が、移動無線端末装置ＭＳに対して、データ通信のために使用するエクストラチャネルを割り当てたPRUの位置を示すマップ情報（以下、割当情報と称する。）が記載されている。
【００２３】
次に、図４を参照して、移動無線端末装置ＭＳの構成について説明する。移動無線端末装置ＭＳは、図４に示すように、主な構成要素として、主制御部１００と、無線通信部１０と、表示部２０と、通話部３０と、操作部４０と、記憶部５０と、赤外線通信部６０とを備え、無線基地局装置ＢＳ、もしくは中継装置ＲＳと無線基地局装置ＢＳを介して、移動通信網ＮＷを通じた通信を行う機能を備える。
【００２４】
無線通信部１０は、主制御部１００の指示にしたがって、無線基地局装置ＢＳ（ＢＳ１あるいはＢＳ２のいずれか）もしくは中継装置ＲＳと無線通信を行うものであって、これにより、音声データや電子メールデータなどの送受信、Ｗｅｂデータやストリーミングデータなどの受信を行う。  
表示部２０は、主制御部１００の制御により、画像（静止画像および動画像）や文字情報などを表示して、視覚的にユーザに情報を伝達するものであり、当該携帯電話機の設定状態を示す情報なども表示する。
【００２５】
通話部３０は、スピーカ３１やマイクロホン３２を備え、マイクロホン３２を通じて入力されたユーザの音声を主制御部１００にて処理可能な音声データに変換して主制御部１００に出力したり、無線通信部１０あるいは赤外線通信部６０により受信された音声データを復号してスピーカ３１から出力するものである。  
操作部４０は、複数のキースイッチなどを備え、これを通じてユーザから指示を受け付けるものである。
【００２６】
記憶部５０は、主制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。なお、記憶部５０は、ＨＤＤ、ＲＡＭ、ＲＯＭ、ＩＣメモリなどの１つまたは複数の記憶手段を含むものである。
【００２７】
赤外線通信部６０は、赤外線通信機能を有する対向機器（例えば、他の携帯電話機ＭＳ）と赤外線通信を行うものであって、主制御部１００によって動作設定がなされ、主制御部１００から与えられる送信データを赤外線光で送信したり、対向機器から赤外線光で送信されるデータを受信し、これを受信データとして主制御部１００に出力する。
【００２８】
主制御部１００は、マイクロプロセッサを備え、記憶部５０が記憶する制御プログラムにしたがって動作し、当該移動無線端末装置ＭＳの各部を統括して制御するものであって、無線通信部１０を通じて、音声通信やデータ通信を行うために、通信系の各部を制御するネットワーク通信制御機能と、アプリケーション処理機能を備える。
【００２９】
アプリケーション処理機能は、記憶部５０が記憶するアプリケーションソフトウェアにしたがって主制御部１００が動作することにより、例えば、電子メールの送受信や、Ｗｅｂブラウジングなどを行う。
【００３０】
また、主制御部１００は、受信データやダウンロードしたストリーミングデータなどの画像データ（静止画像や動画像のデータ）に基づいて、映像を表示部２０に表示したりする画像処理機能を備える。この画像処理機能は、主制御部１００が、上記画像データを復号し、この復号結果に画像処理を施して、画像を表示部２０に表示する。なお、送受信されるデータは、画像データに限らず、テキストデータなど種々の形式のデータを送受信可能である。
【００３１】
そしてまた、主制御部１００は、無線通信部１０と無線基地局装置ＢＳとの通信が、無線基地局装置ＢＳとの直接の無線通信か、中継装置ＲＳを介した間接的な無線通信かを判定し、中継装置ＲＳを介した間接的な無線通信の場合には、無線基地局装置ＢＳから割り当てられる識別情報を、中継装置ＲＳとの間の無線通信で用いられる屋内帯域Ｂ３中のPRUに変換するPRU変換機能を備える。
【００３２】
次に、図５乃至図７を参照して、上記構成の移動無線端末装置ＭＳのPRU変換機能について説明する。図５および図７に示すフローチャートは、主制御部１００が記憶部５０に記憶される制御プログラムや制御データにしたがって動作することにより実現するものであって、電源が投入されてから、電源が切られるまで繰り返し実行する処理を示したものである。また図６は、移動無線端末装置ＭＳと無線基地局装置ＢＳ（ＢＳ１あるいはＢＳ２）が中継装置ＲＳを介してデータ通信を開始するまでのシーケンスを示すものである。
【００３３】
ステップ５ａにおいて主制御部１００は、無線通信部１０を制御して、２つの公衆帯域Ｂ１、Ｂ２の制御チャネルCCHの周波数、および屋内帯域Ｂ３の制御チャネルCCHの周波数を受信させて、このうち、最も良好な受信品質（受信電力レベル）の制御チャネルCCHを選択し、ステップ５ｂに移行する。
【００３４】
ステップ５ｂにおいて主制御部１００は、無線通信部１０を制御して、ステップ５ａで選択した制御チャネルCCHを受信して、報知情報を取得し、ステップ５ｃに移行する。  
ステップ５ｃにおいて主制御部１００は、ステップ５ｂで受信した報知情報に基づいて、相手局と同期確立し、ステップ５ｄに移行する。このとき、同期確立する対象は、無線基地局装置ＢＳであり、中継装置ＲＳが介在する場合には、中継装置ＲＳを介して、無線基地局装置ＢＳと同期確立する。
【００３５】
すなわち、中継装置ＲＳが介在する場合には、図６のシーケンスＳ１に示すように、当該移動無線端末装置ＭＳと中継装置ＲＳとが同期確立を行うとともに、図６のシーケンスＳ２に示すように、中継装置ＲＳが無線基地局装置ＢＳと同期確立する。
【００３６】
ステップ５ｄにおいて主制御部１００は、ステップ５ｂで受信した報知情報の周波数帯域が、公衆帯域Ｂ１、Ｂ２あるいは屋内帯域Ｂ３のいずれであるかを検出し、ステップ５ｅに移行する。
【００３７】
ステップ５ｅにおいて主制御部１００は、ステップ５ｂで受信した報知情報内に、送信元である無線基地局装置ＢＳが上記報知情報の送信に用いた周波数帯域を認識できる情報が含まれているか否かを判定する。ここで、上記周波数帯域を認識できる情報が含む場合には、ステップ５ｆに移行し、一方、含まない場合には、ステップ５ｐに移行する。
【００３８】
ステップ５ｆにおいて主制御部１００は、ステップ５ｂで受信した報知情報内の情報に基づいて、送信元である無線基地局装置ＢＳが上記報知情報の送信に用いた周波数帯域を認識し、この周波数帯域と、ステップ５ｂで受信した報知情報の周波数帯域が、一致するか否かを判定する。
【００３９】
ここで、周波数帯域が一致する場合、すなわち、当該移動無線端末装置ＭＳが中継装置ＲＳを介することなく無線基地局装置ＢＳから直接受信している場合には、ステップ５ｇに移行し、一方、周波数帯域が一致しない場合、すなわち、当該移動無線端末装置ＭＳが中継装置ＲＳを介して無線基地局装置ＢＳから間接的に受信している場合には、ステップ５ｋに移行する。
【００４０】
ステップ５ｇにおいて主制御部１００は、当該移動無線端末装置ＭＳが直接無線通信している無線装置が、非再生型の中継装置ＲＳ以外、すなわち無線基地局装置ＢＳ（あるいは再生型の中継装置）と認識し、ステップ５ｈに移行する。  
ステップ５ｈにおいて主制御部１００は、無線通信部１０を制御して、LCH Assignment Requestを送信し、ステップ５ｉに移行する。
【００４１】
ステップ５ｉにおいて主制御部１００は、上記LCH Assignment Requestに応答して無線基地局装置ＢＳから送信されるLCH Assignmentを受信し、ステップ５ｊに移行する。  
ステップ５ｊにおいて主制御部１００は、ステップ５ｉで受信したLCH Assignmentに含まれる識別情報（PRU番号）を検出し、ステップ５ｘに移行する。
【００４２】
ステップ５ｋにおいて主制御部１００は、当該移動無線端末装置ＭＳが直接無線通信している無線装置が、非再生型の中継装置ＲＳと認識し、ステップ５ｌに移行する。  
ステップ５ｌにおいて主制御部１００は、図６のシーケンスＳ３に示すように、無線通信部１０を制御して、LCH Assignment Requestを送信し、ステップ５ｍに移行する。また図６のシーケンスＳ４に示すように、中継装置ＲＳを介して無線基地局装置ＢＳと同期確立しているので、中継装置ＲＳは、当該移動無線端末装置ＭＳから受信したLCH Assignment Requestを、無線基地局装置ＢＳに中継送信する。
【００４３】
ステップ５ｍにおいて主制御部１００は、上記LCH Assignment Requestに応答して無線基地局装置ＢＳから送信されるLCH Assignment（シーケンスＳ５）を、中継装置ＲＳを介して受信し（シーケンスＳ６）、ステップ５ｎに移行する。  
ステップ５ｎにおいて主制御部１００は、ステップ５ｍで受信したLCH Assignmentに含まれる識別情報（PRU番号）を検出し、ステップ５ｏに移行する。
【００４４】
ステップ５ｏにおいて主制御部１００は、ステップ５ｆで認識した周波数帯域（すなわち、報知情報内で示される無線基地局装置ＢＳが報知情報の送信に使用した周波数帯域）に応じた補正値Ｃを、記憶部５０に予め記憶される補正値テーブルから選択するとともに、この選択した補正値Ｃを記憶部５０に記憶して、ステップ５ｗに移行する。なお、上記補正値テーブルは、図２に示す例では、公衆帯域Ｂ１の識別情報には、補正値Ｃとして「４ｊ−４」が対応づけられ、また公衆帯域Ｂ２の識別情報には、補正値Ｃとして「４ｋ−４」が対応づけられている。
【００４５】
ステップ５ｐにおいて主制御部１００は、無線通信部１０を制御して、LCH Assignment Requestを送信し（シーケンスＳ３）、ステップ５ｑに移行する。  
ステップ５ｑにおいて主制御部１００は、上記LCH Assignment Requestに応答して無線基地局装置ＢＳから送信されるLCH Assignmentを受信し（シーケンスＳ６）、ステップ５ｒに移行する。  
ステップ５ｒにおいて主制御部１００は、ステップ５ｑで受信したLCH Assignmentに含まれる識別情報（PRU番号）を検出し、ステップ５ｓに移行する。
【００４６】
ステップ５ｓにおいて主制御部１００は、ステップ５ｐのLCH Assignment Requestの送信や、ステップ５ｑのLCH Assignmentの受信に用いた周波数帯域が、ステップ５ｒで検出した識別情報（PRU番号）が含まれる周波数帯域に一致するか否かを判定する。ここで、一致する場合には、ステップ５ｔに移行し、一方、一致しない場合には、ステップ５ｕに移行する。
【００４７】
ステップ５ｔにおいて主制御部１００は、当該移動無線端末装置ＭＳが直接無線通信している無線装置が、非再生型の中継装置ＲＳ以外、すなわち無線基地局装置ＢＳ（あるいは再生型の中継装置）と認識し、ステップ５ｘに移行する。  
一方、ステップ５ｕにおいて主制御部１００は、当該移動無線端末装置ＭＳが直接無線通信している無線装置が、非再生型の中継装置ＲＳと認識し、ステップ５ｖに移行する。
【００４８】
ステップ５ｖにおいて主制御部１００は、ステップ５ｒで検出した識別情報（PRU番号）の含まれる周波数帯域に応じた補正値Ｃを、記憶部５０に予め記憶される補正値テーブルから選択するとともに、この選択した補正値Ｃを記憶部５０に記憶して、ステップ５ｗに移行する。
【００４９】
ステップ５ｗにおいて主制御部１００は、ステップ５ｏあるいはステップ５ｖで選択した補正値Ｃを用いて、ステップ５ｎあるいはステップ５ｒで検出した識別情報（PRU番号）を補正し、ステップ５ｘに移行する。これにより、非再生型の中継装置ＲＳを介することによるPRUの周波数変換分の周波数補正が行われたことになる。すなわち、中継装置ＲＳは、無線基地局装置ＢＳから受信した無線信号を屋内帯域Ｂ３に周波数変換して送信するが、これに合わせて、無線基地局装置ＢＳから通知される識別情報（PRU番号）を、上記周波数変換に合わせて値の補正が行われることになる。
【００５０】
ステップ５ｘにおいて主制御部１００は、無線通信部１０を制御して、同期した無線基地局装置ＢＳとの接続シーケンスを進行させて（シーケンスＳ７〜Ｓ８）、リンクチャネルを確立し（シーケンスＳ９）、上記無線基地局装置ＢＳとの間で認証処理（シーケンスＳ１０）を完了し、ステップ５ｙに移行する。
【００５１】
ステップ５ｙにおいて主制御部１００は、ステップ５ｊあるいは５ｒで検出した識別情報（PRU番号）に対応するPRUを通じて、若しくはステップ５ｗでPRU番号が補正された場合は補正された識別情報（PRU番号）に対応するPRUを通じて、割当情報、すなわちデータ通信に使用するエクストラチャネルが割り当てられるPRU番号を示すANCHを受信し、割り当てられたエクストラチャネルを通じて上記無線基地局装置ＢＳとの間でデータ通信を開始し（シーケンスＳ１１）、ステップ５ｚに移行する。なお、無線基地局装置ＢＳと中継装置ＲＳとの間では、補正前の公衆帯域を用いて通信し、一方、中継装置ＲＳと当該移動無線端末装置ＭＳとの間では、補正されたPRU番号に対応する帯域を用いて通信する。
【００５２】
ステップ５ｚにおいて主制御部１００は、データ通信が終了したか否かを判定する。ここで、データ通信が終了した場合には、図７に示すステップ７ａに移行し、一方、データ通信が終了しない場合には、再びステップ５ｚに移行して、データ通信の終了の監視を継続する。
【００５３】
ステップ７ａにおいて主制御部１００は、次の通信を開始するに当たり、前回の通信の同期対象と、同期が外れているか否かを判定する。ここで、同期が外れていると判定した場合には、ステップ７ｂに移行し、一方、同期外れていないと判定した場合には、ステップ７ｃに移行する。
【００５４】
ステップ７ｂにおいて主制御部１００は、前回の通信のためにステップ５ｏあるいはステップ５ｖで記憶部５０に記録した補正値Ｃをクリアし、ステップ５ａに移行する。
【００５５】
ステップ７ｃにおいて主制御部１００は、無線通信部１０を制御して、LCH Assignment Requestを送信し、ステップ７ｄへ移行する。これにより、中継装置ＲＳは、当該移動無線端末装置ＭＳから受信した上記LCH Assignment Requestを、無線基地局装置ＢＳに中継送信する。
【００５６】
ステップ７ｄにおいて主制御部１００は、上記LCH Assignment Requestに応答して無線基地局装置ＢＳから送信されるLCH Assignmentを、中継装置ＲＳを介して受信し、ステップ７ｅに移行する。
【００５７】
ステップ７ｅにおいて主制御部１００は、ステップ７ｄで受信したLCH Assignmentに含まれるPRU番号、すなわち識別情報を検出し、ステップ７ｆに移行する。
【００５８】
ステップ７ｆにおいて主制御部１００は、前回の通信のためにステップ５ｏあるいはステップ５ｖで記憶部５０に記録した補正値Ｃを用いて識別情報（PRU番号）を補正し（通信対象が非再生型の無線中継装置ＲＳ以外の場合は、補正値が「０」であるため、補正は行われない）、ステップ５ｘへ移行する。
【００５９】
以上のように、上記構成の移動無線端末装置ＭＳでは、同期確立した無線基地局装置ＢＳとの無線通信が中継装置ＲＳを介したものか否かを判定し、中継装置ＲＳを介した無線通信の場合には、無線基地局装置ＢＳが無線通信に用いる公衆帯域に応じた補正値Ｃを用いて、無線基地局装置ＢＳが通知する識別情報（PRU番号）を、中継装置ＲＳが当該移動無線端末装置ＭＳとの無線通信で用いる屋内帯域のPRU番号に補正するようにしている。
【００６０】
したがって、上記構成の移動無線端末装置ＭＳによれば、中継装置ＲＳが公衆帯域を屋内帯域に変換しても、この変換によって利用される割当情報を認識できるので、非再生型の中継装置ＲＳを用いて、異なる周波数帯域で中継を行う場合でも、中継による通信を行うことができる。
【００６１】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００６２】
その一例として例えば、上記実施の形態では、ステップ５ｆやステップ５ｓにおける判定により、中継装置ＲＳを介した無線通信か否かを判定するようにしているが、これに代わって例えば、屋内帯域Ｂ３を通じてLCH Assignmentを受信した場合には、中継装置ＲＳを介した無線通信と判定するようにしてもよい。
【００６３】
また、上記実施の形態では、移動無線端末装置ＭＳにおいてPRU番号の読み替えを行うようにしたが、これに代わって例えば、無線基地局装置ＢＳでPRU番号の読み替えを行うようにしてもよい。その実施形態の一例を以下に説明する。
【００６４】
図８は、無線基地局装置ＢＳの構成例である。すなわち、移動通信網ＮＷと通信するためのネットワーク通信部１１０と、移動無線端末装置ＭＳあるいは中継装置ＲＳと無線通信する無線通信部１２０と、制御プログラムや制御データなどを記憶する記憶部１３０と、当該無線基地局装置ＢＳの各部を統括して制御する主制御部１４０とを備えている。
【００６５】
無線基地局装置ＢＳでPRU番号の読み替えを行う場合の動作について説明する。図９および図１０は、このような無線基地局装置ＢＳに対する移動無線端末装置ＭＳの動作を説明するフローチャートであって、主制御部１００が記憶部５０に記憶される制御プログラムや制御データにしたがって動作することにより実現するものであり、電源が投入されてから、電源が切られるまで繰り返し実行する処理を示したものである。
【００６６】
ステップ９ａにおいて主制御部１００は、無線通信部１０を制御して、２つの公衆帯域Ｂ１、Ｂ２の制御チャネルCCHの周波数、および屋内帯域Ｂ３の制御チャネルCCHの周波数を受信させて、このうち、最も良好な受信品質（受信電力レベル）の制御チャネルCCHを選択し、ステップ９ｂに移行する。
【００６７】
ステップ９ｂにおいて主制御部１００は、無線通信部１０を制御して、ステップ９ａで選択した制御チャネルCCHを受信して、報知情報を取得し、ステップ９ｃに移行する。  ステップ９ｃにおいて主制御部１００は、ステップ９ｂで受信した報知情報に基づいて、相手局と同期確立し、ステップ９ｄに移行する。このとき、同期確立する対象は、無線基地局装置ＢＳであり、中継装置ＲＳが介在する場合には、中継装置ＲＳを介して、無線基地局装置ＢＳと同期確立する。
【００６８】
すなわち、中継装置ＲＳが介在する場合には、図６のシーケンスＳ１に示すように、当該移動無線端末装置ＭＳと中継装置ＲＳとが同期確立を行うとともに、図６のシーケンスＳ２に示すように、中継装置ＲＳが無線基地局装置ＢＳと同期確立する。
【００６９】
ステップ９ｄにおいて主制御部１００は、ステップ９ｂで受信した報知情報の周波数帯域が、公衆帯域Ｂ１、Ｂ２あるいは屋内帯域Ｂ３のいずれであるかを検出し、ステップ９ｅに移行する。
【００７０】
ステップ９ｅにおいて主制御部１００は、ステップ９ｂで受信した報知情報内に、送信元である無線基地局装置ＢＳが上記報知情報の送信に用いた周波数帯域を認識できる情報が含まれているか否かを判定する。ここで、上記周波数帯域を認識できる情報が含む場合には、ステップ９ｆに移行し、一方、含まない場合には、ステップ９ｍに移行する。
【００７１】
ステップ９ｆにおいて主制御部１００は、ステップ９ｂで受信した報知情報内の情報に基づいて、送信元である無線基地局装置ＢＳが上記報知情報の送信に用いた周波数帯域を認識し、この周波数帯域と、ステップ９ｂで受信した報知情報の周波数帯域が、一致するか否かを判定する。
【００７２】
ここで、周波数帯域が一致する場合、すなわち、当該移動無線端末装置ＭＳが中継装置ＲＳを介することなく無線基地局装置ＢＳから直接受信している場合には、ステップ９ｇに移行し、一方、周波数帯域が一致しない場合、すなわち、当該移動無線端末装置ＭＳが中継装置ＲＳを介して無線基地局装置ＢＳから間接的に受信している場合には、ステップ９ｊに移行する。
【００７３】
ステップ９ｇにおいて主制御部１００は、当該移動無線端末装置ＭＳが直接無線通信している無線装置が、非再生型の中継装置ＲＳ以外、すなわち無線基地局装置ＢＳ（あるいは再生型の中継装置）と認識するとともに、その情報を記憶部５０へ記憶して、ステップ９ｈに移行する。  
ステップ９ｈにおいて主制御部１００は、無線通信部１０を制御して、LCH Assignment Requestを送信し、ステップ９ｉに移行する。  
ステップ９ｉにおいて主制御部１００は、上記LCH Assignment Requestに応答して無線基地局装置ＢＳから送信されるLCH Assignmentを受信し、ステップ９ｓに移行する。
【００７４】
ステップ９ｊにおいて主制御部１００は、当該移動無線端末装置ＭＳが直接無線通信している無線装置が、非再生型の中継装置ＲＳと認識し、ステップ９ｋに移行する。  
ステップ９ｋにおいて主制御部１００は、図６のシーケンスＳ３に示すように、無線通信部１０を制御して、LCH Assignment Requestを送信し、ステップ９ｌに移行する。ここで、上記LCH Assignment Requestには、識別情報（PRU番号）を、中継装置ＲＳを介することによる屋内帯域Ｂ３の識別情報（PRU番号）に変換することを要求する変換要求情報を含ませる。すなわち、上記変換要求情報は、中継装置ＲＳを介していることを示す。
【００７５】
また図６のシーケンスＳ４に示すように、中継装置ＲＳを介して無線基地局装置ＢＳと同期確立しているので、中継装置ＲＳは、当該移動無線端末装置ＭＳから受信したLCH Assignment Requestを、無線基地局装置ＢＳに中継送信する。
【００７６】
これに対して、無線基地局装置ＢＳでは、上記LCH Assignment Requestを受信すると、主制御部１４０は、上記変換要求情報を検出する。すると、主制御部１４０は、中継装置RSを介していることを認識し、中継装置ＲＳとの間で用いる公衆帯域内のPRU番号が示されている識別情報の内容を、中継装置ＲＳでの周波数変換に合わせて、屋内帯域Ｂ３の識別情報（PRU番号）に変換し、この変換した識別情報（PRU番号）を含むLCH Assignmentを上記公衆帯域で送信する（シーケンスＳ５）。
【００７７】
ステップ９ｌにおいて主制御部１００は、無線基地局装置ＢＳから送信される上記LCH Assignmentを、中継装置ＲＳを介して受信し（シーケンスＳ６）、ステップ９ｓに移行する。  
ステップ９ｍにおいて主制御部１００は、無線通信部１０を制御して、LCH Assignment Requestを送信し（シーケンスＳ３）、ステップ９ｎに移行する。  
ステップ９ｎにおいて主制御部１００は、上記LCH Assignment Requestに応答して無線基地局装置ＢＳから送信されるLCH Assignmentを受信し（シーケンスＳ６）、ステップ９ｏに移行する。  
ステップ９ｏにおいて主制御部１００は、ステップ９ｎで受信したLCH Assignmentに含まれる識別情報（PRU番号）を検出し、ステップ９ｐに移行する。
【００７８】
ステップ９ｐにおいて主制御部１００は、ステップ９ｍのLCH Assignment Requestの送信や、ステップ９ｎのLCH Assignmentの受信に用いた周波数帯域が、ステップ９ｏで検出した識別情報（PRU番号）が含まれる周波数帯域に一致するか否かを判定する。ここで、一致する場合には、ステップ９ｑに移行し、一方、一致しない場合には、ステップ９ｒに移行する。
【００７９】
ステップ９ｑにおいて主制御部１００は、当該移動無線端末装置ＭＳが直接無線通信している無線装置が、非再生型の中継装置ＲＳ以外、すなわち無線基地局装置ＢＳ（あるいは再生型の中継装置）と認識するとともに、その情報を記憶部５０へ記憶して、ステップ９ｓに移行する。  
一方、ステップ９ｒにおいて主制御部１００は、当該移動無線端末装置ＭＳが直接無線通信している無線装置が、非再生型の中継装置ＲＳと認識するとともに、その情報を記憶部５０へ記憶して、ステップ９ｋに移行する。
【００８０】
ステップ９ｓにおいて主制御部１００は、最後に受信したLCH Assignmentメッセージ（ステップ９ｉ、９ｌもしくは９ｎで受信したLCH Assignment）に含まれる識別情報を検出し、ステップ９ｔに移行する。
【００８１】
ステップ９ｔにおいて主制御部１００は、無線通信部１０を制御して、同期した無線基地局装置ＢＳとの接続シーケンスを進行させて（シーケンスＳ７〜Ｓ８）、リンクチャネルを確立し（シーケンスＳ９）、上記無線基地局装置ＢＳとの間で認証処理（シーケンスＳ１０）を完了し、ステップ９ｕに移行する。
【００８２】
ステップ９ｕにおいて主制御部１００は、ステップ９ｓで検出した識別情報（PRU番号）に対応するPRUを通じて割当情報、すなわちデータ通信に使用するエクストラチャネルが割り当てられるPRU番号を示すANCHを受信し、割り当てられたエクストラチャネルを通じて上記無線基地局装置ＢＳとの間でデータ通信を開始し（シーケンスＳ１１）、ステップ９ｖに移行する。なお、無線基地局装置ＢＳと中継装置ＲＳとの間では、主制御部１４０が決定した公衆帯域を用いて通信し、一方、中継装置ＲＳと当該移動無線端末装置ＭＳとの間では、ステップ９ｓで検出した識別情報（PRU番号）に対応する周波数帯域を用いて通信する。
【００８３】
ステップ９ｖにおいて主制御部１００は、データ通信が終了したか否かを判定する。ここで、データ通信が終了した場合には、図１０に示すステップ１０ａに移行し、一方、データ通信が終了しない場合には、再びステップ９ｖに移行して、データ通信の終了の監視を継続する。
【００８４】
ステップ１０ａにおいて主制御部１００は、次の通信を開始するに当たり、前回の通信の同期対象と、同期が外れているか否かを判定する。ここで、同期が外れていると判定した場合には、ステップ９ａに移行し、一方、同期が外れていないと判定した場合には、ステップ１０ｂに移行する。
【００８５】
ステップ１０ｂにおいて主制御部１００は、前回の通信においてステップ９ｇ、９ｒもしくは９ｑで記憶部５０に記録した通信対象を判別する。ここで、前回の通信対象が中継装置ＲＳであった場合は、ステップ９ｋへ移行し、一方、前回の通信対象が中継装置ＲＳ以外で有った場合は、ステップ９ｈへ移行する。
【００８６】
以上のように、移動無線端末装置ＭＳが中継装置ＲＳを介した通信であることを検出した場合に、無線基地局装置ＢＳに対し識別情報を中継装置ＲＳと移動無線端末装置ＭＳとの間で用いる屋内帯域Ｂ３のPRU番号に修正する要求を移動無線端末装置ＭＳが行い、この要求に応じた修正を無線基地局装置ＢＳが行うようにしている。
【００８７】
このような構成であっても、中継装置ＲＳが公衆帯域を屋内帯域に変換しても、この変換によって利用される割当情報を認識できるので、非再生型の中継装置ＲＳを用いて、異なる周波数帯域で中継を行う場合でも、中継による通信を行うことができる。
【００８８】
なお、上記実施の形態では、ステップ５ｆやステップ９ｆにおける判定により、中継装置ＲＳを介した無線通信か否かを判定するようにしているが、これに代わって例えば、屋内帯域Ｂ３を通じてLCH Assignmentを受信した場合には、中継装置ＲＳを介した無線通信と判定するようにしてもよい。  
その他、この発明の要旨を逸脱しない範囲で種々の変形を施しても同様に実施可能であることはいうまでもない。
【符号の説明】
【００８９】
１０…無線通信部、２０…表示部、３０…通話部、３１…スピーカ、３２…マイクロホン、４０…操作部、５０…記憶部、６０…赤外線通信部、１００…主制御部、１１０…ネットワーク通信部、１２０…無線通信部、１３０…記憶部、１４０…主制御部、ＢＳ…無線基地局装置、ＢＳ１…無線基地局装置、ＢＳ２…無線基地局装置、ＭＳ…移動無線端末装置、ＮＷ…移動通信網、ＲＳ…小電力無線通中継装置。
【図１】
2011160132.tif 000003
【図２】
2011160132.tif 000004
【図３】
2011160132.tif 000005
【図４】
2011160132.tif 000006
【図５】
2011160132.tif 000007
【図６】
2011160132.tif 000008
【図７】
2011160132.tif 000009
【図８】
2011160132.tif 000010
【図９】
2011160132.tif 000011
【図１０】
2011160132.tif 000012